【手続補正書】
【提出日】平成16年6月9日(2004.6.9)
【手続補正１】
【補正対象書類名】明細書
【補正対象項目名】全文
【補正方法】変更
【補正の内容】
【書類名】        明細書
【発明の名称】    管・ケーブル類の支持具、及び被接着面に対する該支持具の接着固定方法
【特許請求の範囲】
【請求項１】  管・ケーブル類を支持するための支持部を備えた管・ケーブル類の支持具であって、
接着剤を介して被接着面に接着固定される接着部と、
被接着面に仮接着可能な仮接着剤層を備えた仮接着部と、
を具備することを特徴とする管・ケーブル類の支持具。
【請求項２】  前記仮接着部は、接着剤が塗布された前記接着部を被接着面に固着すべく被接着面に仮接着されることを特徴とする請求項１に記載の管・ケーブル類の支持具。
【請求項３】  前記接着部の接着面には、常温では固化されていて、加熱により溶融される接着剤が予め付着されてなることを特徴とする請求項２に記載の管・ケーブル類の支持具。
【請求項４】  前記接着部の両側に一対の仮接着部が設けられていることを特徴とする請求項２又は３に記載の管・ケーブル類の支持具。
【請求項５】  前記仮接着部により被接着面に仮接着された状態で、被接着面と接着部との間に接着剤を充填し得る充填部を備えていることを特徴とする請求項１に記載の管・ケーブル類の支持具。
【請求項６】  前記仮接着部は、前記充填部から充填された接着剤により前記接着部を被接着面に固着させるべく被接着面に仮接着されることを特徴とする請求項５に記載の管・ケーブル類の支持具。
【請求項７】  前記充填部は、接着部の下方から接着面に貫通する貫通孔で形成されてなることを特徴とする請求項５又は６に記載の管・ケーブル類の支持具。
【請求項８】  内部に接着剤が収容された接着剤収容材を備え、当該収容材の接着剤排出口が前記充填部に臨まされてなる請求項５ないし７のいずれかに記載の管・ケーブル類の支持具。
【請求項９】  前記仮接着部は、その仮接剤着層が接着部の接着面と反対側に後退すべく弾性変形可能に形成されていることを特徴とする請求項５ないし８のいずれかに記載の管・ケーブル類の支持具。
【請求項１０】  前記仮接着部は、これを弾性変形させるべく把持可能な把持部を備えていることを特徴とする請求項５ないし８のいずれかに記載の管・ケーブル類の支持具。
【請求項１１】  前記支持部は、前記接着部の下方に配置されていることを特徴とする請求項１ないし１０のいずれかに記載の管・ケーブル類の支持具。
【請求項１２】  前記接着部と仮接着部とは、相互に接触しないように連結部を介して分離状態で接続されていることを特徴とする請求項１ないし１１に記載の管・ケーブル類の支持具。
【請求項１３】  接着剤を介して被接着面に接着固定される接着部と、仮接着剤を介して被接着面に仮接着される仮接着部とを備えた管・ケーブル類の支持具を被接着面に接着固定する方法であって、
前記接着部と前記仮接着部とを被接着面に押圧させて、被接着面に対する仮接着部の仮接着により、被接着面に対して接着部を接着固定するための接着剤が固化するまでの間において、被接着面に対する接着部の密着状態を維持するようにしたことを特徴とする被接着面に対する管・ケーブル類の支持具の接着固定方法。
【請求項１４】  被接着面に対して接着部を押圧して密着させた後に、該被接着面に対して仮接着部を押圧させて仮接着することを特徴とする請求項１３に記載の被接着面に対する管・ケーブル類の支持具の接着固定方法。
【請求項１５】  接着剤を介して被接着面に接着固定される接着部と、仮接着剤を介して被接着面に仮接着される仮接着部と、被接着面と接着面との間に接着剤を充填し得る充填部とを備えた管・ケーブル類の支持具を被接着面に接着固定する方法であって、
前記仮接着部を被接着面に押圧して仮接着し、当該仮接着状態の間に前記充填部から接着剤を充填して、接着部を被接着面に接着固定することを特徴とする被接着面に対する管・ケーブル類の支持具の接着固定方法。
【請求項１６】  前記仮接着部の被接着面に対する仮接着により、充填部から充填された接着剤が固化するまでの間において、被接着面に対する接着部の密着状態を維持するようにしたことを特徴とする請求項１５に記載の被接着面に対する管・ケーブル類の支持具の接着固定方法。
【発明の詳細な説明】
【０００１】
【発明の属する技術分野】
本発明は、天井壁等の構築面に沿って管・ケーブル類を吊下支持するのに使用される支持具、及び被接着面に対する該支持具の接着固定方法に関するものである。
【０００２】
【従来の技術】
例えば、天井壁等の種々の構築面に沿って管・ケーブル類を吊下支持する場合において、図２２に示されるような支持具Ｓ’が使用されている。この支持具Ｓ’は、上面が接着面５１ａとなっている接着板５１の下面にフック等の支持部材５２が一体に取付けられた構成である。
【０００３】
この支持具Ｓ’を天井壁等の被接着面に接着固定するには、接着板５１の接着面５１ａに接着剤を塗布しておいて、該接着板５１の接着面５１ａを被接着面に密着させるべく押圧し、該接着剤の固化により、被接着面に接着固定している。しかし、前記接着剤が固化するまでには、相当の時間を要するため、作業者は、支持具Ｓ’を天井壁等の被接着面に押圧した状態を維持するために、所定時間だけ手で押圧し続ける必要があり、支持具Ｓ’の固定作業は、面倒で、しかも時間を要するものであった。また、接着剤が固化する前に手を離してしまい、自重により支持具Ｓ’が落下してしまう不具合も頻発していた。
【０００４】
【発明が解決しようとする課題】
本発明は、被接着面に対する接着固定作業を短時間で、しかも確実に行える管・ケーブル類の支持具の提供を主たる課題としている。
【０００５】
【課題を解決するための手段】
この課題を解決するための本発明は、管・ケーブル類を支持するための支持部を備えた管・ケーブル類の支持具であって、接着剤を介して被接着面に接着固定される接着部と、被接着面に仮接着可能な仮接着剤層を備えた仮接着部とを具備することを、その特徴としている。また、被接着面に対する前記支持具の接着固定方法については、接着部の接着面に予め接着剤を塗布しておく場合と、被接着面と接着面との間に接着剤を充填するための充填部を支持具自体に備えていて、前記仮接着部により支持具を被接着面に仮接着した状態において、接着面と被接着面との間に接着剤を充填する場合とがある。
【０００６】
接着部の接着面に予め接着剤が塗布されている場合には、接着部と仮接着部とをほぼ同時に被接着面に押圧させて、被接着面に対して仮接着部を仮接着しておくと、被接着面に対して接着部を接着固定するための接着剤が固化するまでの間において、被接着面に対する接着部の密着状態が維持される。よって、仮接着の直後において、手を離しても、自重により支持具は落下することなく、支持具の接着部は、被接着面に対して確実に接着固定される。
【０００７】
また、被接着面と接着面との間に接着剤を充填するための充填部を支持具自体に備えている場合には、前記仮接着部を被接着面に押圧して仮接着した状態において、支持具に設けられた充填部から接着剤を充填すると、該接着剤が固化するまでの間において、仮接着状態が維持されて、支持具の接着部は、被接着面に対して確実に接着固定される。このように、被接着面に対して支持具を仮接着した後において、充填部から接着部の接着面と被接着面との間に接着剤を充填する場合には、被接着面に対して仮接着部が仮接着されていて、支持具を手で押圧させる必要がないため、片手又は両手によって接着剤の充填作業を専念して行える。このため、天井壁等の比較的高い場所における支持具の接着固定作業を安全に行える。また、充填部から接着剤を充填させる場合は、接着面に予め接着剤を塗布しておく場合と異なって、接着剤の塗布後から、支持具を被接着面に当てがうまでの間において、接着面に塗布した接着剤が周辺に付着することがないと共に、速乾性の接着剤の使用が可能となる。また、接着部の下方に支持部が配置されている場合には、前記接着面と被接着面との間に、接着部に一体に取付けられ接着剤収容材の接着材を充填する構造のものにおいては、接着部に一体に設けられている接着剤収容材を取付けたままにしておいても、管・ケーブル類の支持には支障はない。また、接着部と仮接着部とは、相互に接触しないように連結部を介して分離状態で接続されている場合には、接着部の接着面に予め塗布された接着剤、或いは被接着面との間に充填された接着剤が仮接着部の側に流れるのを防止できる。
【０００８】
【発明の実施の形態】
以下、実施例を挙げて、本発明を更に詳細に説明する。図１は、本発明に係る管・ケーブル類支持具（以下、単に「支持具」という）Ｓ1 を用いて天井壁Ｗ1 から管Ｐを吊下支持している状態の斜視図であり、図２は、支持具Ｓ1 の非使用状態の斜視図であり、図３は、支持具Ｓ1 の接着面１ａに接着剤Ａを塗布している状態を示す図であり、図４は、接着板１の両端の一対の仮接着板３を変形させて、支持具Ｓ1 を天井壁Ｗ1 に密着させる直前の状態を示す図であり、図５は、接着板１と仮接着板３との双方を天井壁Ｗ1 に押圧している状態を示す図である。図１ないし図３において、支持具Ｓ1 は、その全体が樹脂で製作されていて、方形状をした接着板１の両側に連結部２を介して同じく方形状の仮接着板３がそれぞれ連設され、前記接着板１の下面にフック４が一体に設けられた構成である。
【０００９】
接着板１の上面は、接着剤を塗布するための接着面１ａとなっていて、該接着剤を充填するための多数の円形溝１ｂが設けられている。一対の仮接着板３の上面は、粘着面３ａとなっていて、この面３ａにそれぞれ両面接着テープ５が予め接着されている。接着板１と一対の仮接着板３とは、その幅方向の中央部において前記連結部２を介して部分的に連結されている。該連結部２は、他の部分よりも薄肉に形成されていて、図４に示されるように、一対の仮接着板３は、連結部２を介して連結されている中央の接着板１に対して変形可能になっている。また、一対の仮接着板３における相対向する端部には、該仮接着板３を変形させる際に、指部を当てがって把持するための把持板６が下方に向けて設けられている。
【００１０】
接着板１の下面に一体に設けられた前記フック４は、所定幅を有する板体の外側面に補強用のリブ７が設けられた構造であって、図１に示されるように、その下半部の支持部４ａで管Ｐ等の管・ケーブル類を収容して支持する。また、フック４の上半部は、管・ケーブル類を挿入するための挿入部４ｂとなっていて、該挿入部４ｂには、支持部４ａに収容支持されている管・ケーブルの抜け出しを防止するための抜出し防止爪８が設けられている。即ち、該抜出し防止爪８は、その上端部が前記接着板１の裏面に固着されていて、その下端部が、前記フック４の先端部４ｃの内側に入り込んでいる。該抜出し防止爪８の上端部は、屈曲状に形成されてバネ部８ａとなっていて、該バネ部８ａにより、該防止爪８の全体が弾性変形可能となっている。
【００１１】
そして、上記支持具Ｓ1 を天井壁Ｗ1 に接着固定するには、以下のようにして行う。まず、図３に示されるように、接着板１の接着面１ａに接着剤Ａを塗布すると共に、該接着板１の両側の各仮接着板３の上面に予め貼り付けられている両面接着テープ５の剥離紙５ａを剥離させる。次に、図４に示されるように、一対の仮接着板３の外方の端部に下方に向けて設けられている各把持板６を作業者の両指により把持押圧することにより、各仮接着板３を接着板１の裏面の側に変形させる。この状態で、図５に示されるように、接着板１の上面の接着面１ａを天井壁Ｗ1 に密着させて押圧し、引き続いて、各把持板６を開放させて、各仮接着板３を天井壁Ｗ1 に押圧させる。
【００１２】
各仮接着板３を天井壁Ｗ1 に押圧することにより、両面接着テープ５を介して各仮接着板３は天井壁Ｗ1 に接着され、その接着力は、支持具Ｓ1 の自重による落下を防止できる大きさである。このため、各仮接着板３を天井壁Ｗ1 に接着させた直後に、支持具Ｓ1 から手を離しても、該支持具Ｓ1 は落下せず、天井壁Ｗ1 に対する接着板１の接着面１ａの密着状態が維持される。そして、そのまま所定時間が経過すると、接着面１ａに塗布した接着剤Ａが固化して、支持具Ｓ1 が天井壁Ｗ1 に接着固定される。
【００１３】
図６には、本発明に係る支持具Ｓ2 が示されている。この支持具Ｓ2 は、側壁Ｗ2 に接着固定して使用されるものであって、中央部の接着板１１の両端部に連結部１２を介して仮接着板１３がそれぞれ設けられ、該接着板１１の前面にフック１４が一体に設けられた構成である。この支持具Ｓ2 において、仮接着板１３の裏面の粘着面には、両面接着テープ（図示せず）が接着され、接着板１１の裏面は、接着剤が塗布される接着面となっている。各仮接着板１３の外方の端部には、該仮接着板１３を変形させるための把持板１５が手前側に向けて設けられている。
【００１４】
また、図７には、本発明に係る支持具Ｓ3 が示されている。この支持具Ｓ3 は、上記支持具Ｓ1 のフック４を結束紐２１に替えたものであって、他の部分は該支持具Ｓ1 と同一構成であるので、重複説明を避け、同一部分には同一符号を付した図示のみ行う。
【００１５】
図８ないし図１０には、本発明に係る支持具Ｓ4 が示されている。この支持具Ｓ4 の基本構成は、前記支持具Ｓ1 と同一であるので、同一部分には同一符号を付して、その特徴的構成と、その作用についてのみ説明する。この支持具Ｓ4 の接着板１の上面の接着面１ａは平面状になっていて、その中央部に、下方から接着面１ａに貫通する貫通孔で成形される接着剤の充填孔３１が形成されている。このため、図９に示されるように、上記と異なって仮接着板３を変形させることなく、そのままの状態で天井壁Ｗ1 に密着押圧させると、両面接着テープ５を介して各仮接着板３は天井壁Ｗ1 に接着されて、接着板１の接着面１ａと天井壁Ｗ1 の壁面との間に、接着剤が充填される隙間３２が形成される。押し潰し可能な容器３３内には、接着剤が収容されていて、一対の仮接着板３によって支持具Ｓ4 が天井壁Ｗ1 に仮接着された状態において、接着剤が収容された容器３３の全体を支持具Ｓ4 のフック４の内部に配置すると共に、その容器３３の先端の吐出管３３ａを支持具Ｓ4 に設けられた前記充填孔３１に挿入して、該容器３３を押し潰して、その内部に収容された接着剤を吐出させると、前記隙間３２の直下から、該隙間３２に接着剤Ａが充填される。ここで、一対の仮接着板３によって支持具Ｓ4 が天井壁Ｗ1 に仮接着されていて、天井壁Ｗ1 に対して支持具Ｓ4 を手で押圧させる必要がないために、片手或いは両手によって、前記隙間３２への接着剤の充填作業を専念して行える。
【００１６】
また、図１１ないし図１３には、本発明に係る支持具Ｓ5 が示され、図１４及び図１５には、同じく支持具Ｓ6 が示されている。これらの各支持具Ｓ5,Ｓ6 は、いずれも前記隙間３２に接着剤を充填するための充填孔を備えているものであるが、その形成位置が前記支持具Ｓ4 と異なるのみであって、支持具Ｓ5,Ｓ6 を天井壁Ｗ1 に仮接着した後において、接着板１の接着面１ａと天井壁Ｗ1 の壁面との隙間３２に接着剤を充填することは、前記支持具Ｓ4 と同じである。即ち、支持具Ｓ4 の接着板１の上面には、幅広の溝部３４が幅方向に沿って形成されて、この溝部３４の両端部がいずれも側方に開口して、この開口部が接着剤の充填孔３５（図１３参照）となっていると共に、溝部３４の底面が接着面１ａとなった構成である。このため、図１３に示されるように、接着剤が収容された変形可能な容器３６を支持具Ｓ5 の側方に配置して、その上端部に設けられた細管状の吐出管３６ａを前記充填孔３５に差し込んだ状態で、該容器３６を押し潰すと、内部の接着剤が吐出して、前記隙間３２に接着剤Ａが充填される。
【００１７】
また、図１４及び図１５に示される支持具Ｓ6 は、接着板１の一方の側端部に溝部が側端面に開口して形成されて、この溝部が接着剤の充填孔３７となったものである。この充填孔３７を構成する溝部は、断面がほぼ半円状であって、この一方の側端面に開口し、しかも内部にゆくに従って漸次浅くなった形状である。この充填孔３７は、接着板１の接着面１ａと天井壁Ｗ1 の壁面との間に形成される前記隙間３２に連通するために、該充填孔３７から接着剤を充填できる。
【００１８】
また、図１６ないし図１８に示される支持具Ｓ7 は、押し潰し可能な容器３８に接着剤が収容された接着剤収容材３９を一体に備えていることに、その特徴を有している。支持具Ｓ7 の接着板１の中央部には、上下方向に貫通して段差状をした前記充填孔３１が形成されていて、この容器３８の吐出口部３８ａが前記充填孔３１に、その下方から差し込まれていると共に、この吐出口部３８ａには、接着板１の上方から蓋部３８ｂが一体に連結されて、該蓋部３８ｂが充填孔３１の段差部に引っ掛かることにより、支持具Ｓ7 に接着剤収容材３９が一体に取付けられた構造になっている。そして、この接着剤収容材３９を備えた支持具Ｓ7 を天井壁Ｗ1 に接着固定するには、容器３８の蓋部３８ｂを折り取って、その吐出口部３８ａを開口させた状態にして、一対の仮接着板３を天井壁Ｗ1 に仮接着しておいて、接着剤収容材３９の容器３８を押し潰すと、その内部に収容された接着剤Ａが吐出口部３８ａから吐出されて、接着板１の接着面１ａと天井壁Ｗ1 の壁面とで形成される隙間３２に充填される。このようにして、隙間３２に接着剤が充填される作用は、前記支持具Ｓ4 と同じである。なお、支持具Ｓ7 を天井壁Ｗ1 に接着固定した後には、接着剤収容材３９の容器３８は、管Ｐの支持に障害とならない場合には、取付けたままにしておいてもよい。
【００１９】
更に、図１９ないし図２１に示される支持具Ｓ8 は、前記支持具Ｓ7 と同様に接着剤収容材を備えたものであるが、この接着剤収容材がフック４の幅方向に沿って水平に配置されて、接着剤の充填後にそのまま取付けておいても、管Ｐの支持に障害がないようにすることを主たる目的としたものである。即ち、接着板１のほぼ中央部の直下には、膨肉部４１がフック４の幅方向に一体成形されて、該膨肉部４１の内部には、Ｌ字形に曲がって、その一端が接着板１の上面の接着面１ａに開口していると共に、その他端が前記膨肉部４１の一端面に開口した充填孔４２が形成されて、該充填孔４２の一端の開口に、接着剤収容材４３の容器４４の吐出口部４４ａが差し込まれている。そして、前記支持具Ｓ7 と同様にして、支持具Ｓ8 に一体に取付けられている接着剤収容材４３の容器４４を押し潰して、その内部に収容されている接着剤をＬ字形の充填孔４２から、接着板１と天井壁Ｗ1 との間に形成される隙間に充填させる。
【００２０】
上記した各支持具Ｓ4 〜Ｓ8 は、支持具Ｓ4 〜Ｓ8 を天井壁Ｗ1 に仮接着した後に、接着板１の接着面１ａと天井壁Ｗ1 の壁面との間に形成された隙間３２に接着剤を充填でき、支持具Ｓ1 〜Ｓ3 のように、接着面に予め接着剤を塗布しておく場合と異なって、接着剤の塗布後から、支持具を被接着面に当てがうまでの間において、接着面に塗布した接着剤が周辺に付着して汚損することがないと共に、速乾性の接着剤の使用が可能となる利点がある。また、一対の仮接着板３によって各支持具Ｓ4 〜Ｓ8 が天井壁Ｗ1 に仮接着されていて、天井壁Ｗ1 に対して各支持具Ｓ4 〜Ｓ8 を手で押圧させる必要がないために、片手或いは両手によって、前記隙間３２への接着剤の充填作業を専念して行える。このため、天井壁等の比較的高い場所における支持具の接着固定作業を安全に行える。
【００２１】
また、上記各実施例の支持具Ｓ1 〜Ｓ8 は、いずれも接着板の両側に変形可能な仮接着板が設けられ、該仮接着板を接着板の接着面と反対側に変形させる構成であるために、被接着面に対して接着板を最初に接着させることができて、被接着面に対して接着板を確実に接着固定できる利点がある。しかし、本発明に係る支持具は、このように接着板とは別の仮接着板を備えたものに限定されず、例えば、接着剤を塗布する接着面の周縁部に両面接着テープを貼り付けて、当該テープ部分を仮接着部とした構成のものであってもよい。
【００２２】
なお、仮接着剤とは、両面接着テープ、両面粘着テープの他に、速乾性の接着剤などを含み、本発明の支持具の接着固定方法においては、上記実施例のように、両面接着テープなどを仮接着板に予め接着しておいてもよいが、施工時に現場において、速乾性の接着剤を塗布したり、両面粘着テープを貼り付けたりしてもよい。また、上記した各支持具において、その接着板には、上記したように現場において接着剤を塗布してもよいが、ホットメルトなどの固化された接着剤が予め付着されていて、使用時において、この固化された接着剤をバーナーなどで加熱して溶融させることにより、使用状態にするものであってもよい。
【００２３】
【発明の効果】
本発明に係る管・ケーブル類の支持具は、接着剤を介して被接着面に接着固定される接着部と、被接着面に仮接着可能な仮接着剤層を備えた仮接着部とを具備しているので、被接着面に対して接着部を接着固定するための接着剤が固化するまでの間において、被接着面に対する接着部の密着状態が維持される。よって、仮接着の直後において、手を離しても、自重により支持具は落下することなく、接着部は、被接着面に対して確実に接着固定されて、支持具の接着固定作業を短時間に、しかも確実に行える。
【００２４】
また、被接着面と接着部との間に接着剤を充填し得る充填部を備えている支持具においては、仮接着部によって被接着面に支持具を仮接着した後に、前記充填部によって、被接着面と接着部との間に接着剤を充填できるので、接着面に予め接着剤を塗布しておく場合と異なって、接着剤の塗布後から、支持具を被接着面に仮接着するまでの間において、接着面に塗布した接着剤が周辺に付着して、当該周辺部を汚損することがないと共に、速乾性の接着剤の使用が可能となる。また、一対の仮接着板によって支持具が被接着面に仮接着されていて、被接着面に対して支持具を手で押圧させる必要がないために、片手或いは両手によって接着剤の充填作業を専念して行える。このため、天井壁等の比較的高い場所における支持具の接着固定作業を安全に行える。
【００２５】
更に、上記充填部が設けられた支持具において、内部に接着剤が収容された接着剤収容材を備えていて、該収容材の接着剤吐出口が前記充填部に臨んでいる構造の場合には、施工に際して、接着剤を準備して施工現場に持ち込む必要がないので、接着剤を持ち忘れても施工できる利点がある。この場合において、支持具に一体に取付けられている接着剤収容材の容器は、この支持具を被接着面に接着固定した後においては、取付けたままで放置してもよいので、後片付け等の面倒もなくなる。
【００２６】
特に、接着部の両側に一対の仮接着部が設けられている支持具においては、一対の仮接着部の配置からして、支持具の仮接着力が大きく、しかも安定して仮接着される利点がある。また、接着部の両側に一対の仮接着部が設けられていて、しかも該仮接着部は、その仮接着剤層が接着部の接着面と反対側に後退可能なように弾性変形可能に成形されている構成のものにおいては、被接着面に対して接着部のみを最初に押圧密着させ、その後に、被接着面に対して仮接着部を仮接着させられるので、被接着面に対する接着部の接着固定の強度が高まる利点がある。
【図面の簡単な説明】
【図１】
本発明に係る支持具Ｓ1 を用いて天井壁Ｗ1 から管Ｐを吊下支持している状態の斜視図である。
【図２】
支持具Ｓ1 の非使用状態の斜視図である。
【図３】
支持具Ｓ1 の接着面１ａに接着剤Ａを塗布している状態を示す図である。
【図４】
接着板１の両端の仮接着板３を変形させて、支持具Ｓ1 を天井壁Ｗ1 に密着させる直前の状態を示す図である。
【図５】
接着板１と仮接着板３との双方を天井壁Ｗ1 に押圧している状態を示す図である。
【図６】
本発明に係る支持具Ｓ2 の斜視図である。
【図７】
本発明に係る支持具Ｓ3 を用いて天井壁Ｗ1 から管Ｐを吊下支持している状態の斜視図である。
【図８】
本発明に係る支持具Ｓ4 の斜視図である。
【図９】
支持具Ｓ4 を天井壁Ｗ1 に密着させる直前の状態を示す図である。
【図１０】
天井壁Ｗ1 に支持具Ｓ4 を仮接着した後に、この支持具Ｓ4 の接着板１の接着面１ａと、天井壁Ｗ1 の壁面との間の隙間３２に接着剤Ａが充填された状態を示す断面図である。
【図１１】
本発明に係る支持具Ｓ5 の斜視図である。
【図１２】
天井壁Ｗ1 に支持具Ｓ5 を仮接着した後に、この支持具Ｓ5 の接着板１の接着面１ａと、天井壁Ｗ1 の壁面との間の隙間３２に接着剤Ａが充填された状態を示す断面図である。
【図１３】
前記隙間３２に接着剤Ａを充填している状態を示す図（図１２のＸ−Ｘ線断面図）である。
【図１４】
本発明に係る支持具Ｓ6 の斜視図である。
【図１５】
支持具Ｓ6 の接着板１の接着面１ａと、天井壁Ｗ1 の壁面との間の隙間３２に接着剤Ａを充填している状態を示す横断面図である。
【図１６】
本発明に係る支持具Ｓ7 の斜視図である。
【図１７】
同じく縦断面図である。
【図１８】
支持具Ｓ7 の接着板１の接着面１ａと、天井壁Ｗ1 の壁面との間の隙間３２に接着剤Ａを充填している状態を示す縦断面図である。
【図１９】
本発明に係る支持具Ｓ8 の斜視図である。
【図２０】
同じく縦断面図である。
【図２１】
図２０のＹ−Ｙ線断面図である。
【図２２】
従来の支持具Ｓ’の斜視図である。
【符号の説明】
Ａ：接着剤
Ｐ：管（管・ケーブル類）
Ｓ1 〜Ｓ8 ：管・ケーブル類支持具
Ｗ1 ：天井壁（被接着面）
Ｗ2 ：側壁（被接着面）
１，１１：接着板（接着部）
３，１３：仮接着板（仮接着部）
４，１４：フック（支持部）
５：両面接着テープ（仮接着剤層）
２１：結束紐（支持部）
３１，３５，４２：充填孔
３２：接着板の接着面と天井壁の壁面との隙間
３９，４３：接着剤収容材